(57)【要約】      （修正有）【課題】電子機器の線部材に巻着される環状部材を挿通した状態で、耐久性が確保されつつ、線部材の基板に対する固定方向が容易に変更可能とされる、新規な構成の電子機器の線部材固定具を提供する。【解決手段】電子機器の線部材に巻着される環状部材を挿通するために、基台部２２に貫設された挿通路は、基台部２２において略六面体形状を形作る６つの壁部のうちの２つである一対の第一壁部３２に対して開口する第一挿通路４４と、６つの壁部のうちの２つである一対の第二壁部３４に対して開口する第二挿通路４６とを含んで構成されて、各第一壁部３２には、それぞれ第二挿通路４６と直交する方向に開口して第二挿通路４６と連通される切欠き５０，５２が設けられている。【選択図】図４
2011036073.tif 000002
【特許請求の範囲】
【請求項１】
略六面体形状とされ、電子機器の線部材に巻着される環状部材を挿通するための挿通路が貫設された基台部と、
該基台部を該電子機器の基板に固定する固定部と
を備え、該挿通路に挿通された該環状部材を介して該線部材を該基板に支持させる電子機器の線部材固定具であって、
前記挿通路は、前記基台部において略六面体形状を形作る６つの壁部のうちの２つである一対の第一壁部に対して開口する第一挿通路と、該６つの壁部のうちの２つである一対の第二壁部に対して開口する第二挿通路とを含んで構成されて、
各前記第一壁部には、それぞれ前記第二挿通路と直交する方向に開口して該第二挿通路と連通される切欠きが設けられていることを特徴とする電子機器の線部材固定具。
【請求項２】
前記環状部材の一方の端部は他方の端部を挿通して固定するリング状固定部を備え、前記６つの壁部うちの何れかには、該リング状固定部を嵌合する凹所が開口形成されていることを特徴とする請求項１に記載の電子機器の線部材固定具。
【請求項３】
前記凹所は前記切欠きと連通されていることを特徴とする請求項２に記載の電子機器の線部材固定具。
【請求項４】
前記切欠きの幅方向両端部の少なくとも一方には、前記第一挿通路又は前記第二挿通路に挿通された前記環状部材の幅方向端部を固定するための固定突起が設けられていることを特徴とする請求項１乃至３の何れか一項に記載の電子機器の線部材固定具。
【請求項５】
前記固定部は、前記基板に形成された貫通孔に挿通されて該貫通孔周りに弾性的に係止される弾性係止片により構成されていることを特徴とする請求項１乃至４の何れか一項に記載の電子機器の線部材固定具。
【発明の詳細な説明】
【技術分野】
【０００１】
本発明は、電子機器における電線や電気ケーブル等の線部材に巻着される環状部材を挿着すると共に、電子機器の基板（電子機器の回路基板や回路基板を収容する筐体の壁部、その他電子機器の一部を構成する各種の板状部材等を含む。）に固定されることによって、線部材を基板に固定させる電子機器の線部材固定具に関するものである。
【背景技術】
【０００２】
従来から、電子機器の電線や電気ケーブル等の線部材の複数を束ねた環状部材を保持するには、線部材固定具を用いることが知られている。この線部材固定具は、一般に、線部材に巻着されるバンド等の環状部材を挿通するための挿通路が貫設された基台部と、基台部を電子機器の基板に固定する固定部とを備えており、挿通路に挿通された環状部材を介して線部材を基板に固定させるようになっている（特許文献１参照）。
【０００３】
ところが、特許文献１に記載の線部材固定具では、環状部材の挿通路が一方向にだけ開口していることから、基台部に対して環状部材を固定する方向が一方向に定まってしまい、延いては線部材の基板に対する固定方向が一つに定まってしまう。そのため、線部材の長さと基板に対する固定方向との関係によっては、線部材が大きく引っ張られて、線部材に大きな負荷がかかったり、線部材が大きく弛んで、線部材が基板に対して安定して固定され難くなったりするなどの不具合が生じるおそれがあった。
【０００４】
この不具合を解消するために、例えば、特許文献１に示されるような、基板の貫通孔に挿着される固定部としての固定突起を貫通孔周りに回動させることによって、線部材の基板に対する固定方向を変更することも考えられるが、それでは、回動に伴う大きな応力が基板の貫通孔周りや固定部に生じて、基板や線部材固定具の耐久性が低下するおそれがあった。
【０００５】
また、例えば、特許文献２には、予め基台部に対して開口方向がそれぞれ異なる複数の挿通路を設けることによって、線部材の基板に対する固定方向を複数選択できるようにした線部材固定具が提案されている。
【先行技術文献】
【特許文献】
【０００６】
【特許文献１】特開平６−２９１４７３号公報
【特許文献２】実開平５−２２８１３号公報
【発明の概要】
【発明が解決しようとする課題】
【０００７】
しかしながら、特許文献２に記載の線部材固定具では、環状部材の中間部分が基台部の挿通路に挿通されて、環状部材が線部材に対して密着するようにしっかりと締め付けられた状態（巻着された状態）で、環状部材の両端部分が係合される。そのため、線部材の基板に対する固定方向を変更するには、環状部材の係合状態を解除した後に、環状部材を挿通路から抜き取り、当該環状部材又は別の新たな環状部材を、基台部の別の挿通路に挿通させて、線部材に締め付け固定させる必要があり、線部材の基板に対する固定方向の変更に手間がかかる問題があった。
【０００８】
つまり、電子機器の線部材においては、線部材固定具を介して基板に固定された状態で、部屋の配置変えなどによって電子機器が移動することに伴い、線部材の基板に対する固定方向が往々にして変更されることがあるが、特許文献１や特許文献２に示される如き従来の線部材固定具では、基板や固定部の耐久性を確保しつつ、線部材の固定方向を容易に変更させることに関して、未だ十分に検討されていなかったのである。
【０００９】
本発明は、上述の如き事情を背景として為されたものであって、その解決課題とするところは、電子機器の線部材に巻着される環状部材を挿通した状態で、耐久性が確保されつつ、線部材の基板に対する固定方向が容易に変更可能とされる、新規な構成の電子機器の線部材固定具を提供することにある。
【課題を解決するための手段】
【００１０】
かかる課題を解決するために為された請求項１に記載の発明は、略六面体形状とされ、電子機器の線部材に巻着される環状部材を挿通するための挿通路が貫設された基台部と、該基台部を該電子機器の基板に固定する固定部とを備え、該線部材を該挿通路に挿通された該環状部材を介して該基板に固定させる電子機器の線部材固定具であって、前記挿通路は、前記基台部において略六面体形状を形作る６つの壁部のうちの２つである一対の第一壁部に対して開口する第一挿通路と、該６つの壁部のうちの２つである一対の第二壁部に対して開口する第二挿通路とを含んで構成されて、各前記第一壁部には、それぞれ前記第二挿通路と直交する方向に開口して該第二挿通路と連通される切欠きが設けられていることを特徴とする。
【００１１】
このような本発明の電子機器の線部材固定具においては、環状部材を第一挿通路と第二挿通路との何れか一方に挿通した状態で、切欠きを通じて環状部材の軸直角方向線回りに回動させることにより、環状部材が第一挿通路と第二挿通路との他方への挿通形態に変更される。
【００１２】
つまり、環状部材を巻着した線部材が線部材固定具を介して基板に固定された状態において、線部材の基板に対する固定方向を変更する場合には、線部材固定具が基板に対して回動されるのでなく、環状部材が線部材固定具を介して基板に対して回動されればよいことから、線部材固定具の固定部と基板との固定状態を安定して維持しつつ、線部材の固定方向を変更することが出来る。
【００１３】
それ故、本発明の電子機器の線部材固定具によれば、電子機器の線部材に巻着される環状部材を挿通した状態で、線部材の基板に対する固定方向を容易に変更することが出来、しかも耐久性が有利に確保されるのである。
【００１４】
なお、本発明において、基台部の略六面体形状には、立方体や直方体などの六つの平面で囲まれた立体の形状である六面体形状を含む他、平面に凹凸や曲線部分、屈曲部分などを有するが上記六面体形状と略同一の作用、効果が発揮される概ね六面体を呈する立体形状を含む。
【００１５】
また、前記電子機器の線部材固定具に関する請求項２に記載の発明は、前記環状部材の一方の端部は他方の端部を挿通して固定するリング状固定部を備え、前記６つの壁部うちの何れかには、該リング状固定部を嵌合する凹所が開口形成されていることを特徴とする。
【００１６】
このような本発明の電子機器の線部材固定具によれば、環状部材を第一挿通路または第二挿通路に挿通させる際に、リング状固定部を凹所に嵌め込んで、環状部材の他方の端部をリング状固定部に挿着させることが出来る。これにより、環状部材が線部材固定具に対して、延いては線部材が基板に対して一層安定して固定される。
【００１７】
また、前記電子機器の線部材固定具に関する請求項３に記載の発明は、前記凹所は前記切欠きと連通されていることを特徴とする。
このような本発明の電子機器の線部材固定具によれば、環状部材を切欠きを通じて回動させる際に、回動に必要なスペースが凹所によって有利に確保される。即ち、本発明の凹所は、上記リング状固定部を嵌合する穴として機能する他、環状部材の回動許容空間としても機能することから、多機能な線部材固定具がコンパクトに実現される。
【００１８】
また、前記電子機器の線部材固定具に関する請求項４に記載の発明は、前記切欠きの幅方向両端部の少なくとも一方には、前記第一挿通路又は前記第二挿通路に挿通された前記環状部材の幅方向端部を固定するための固定突起が設けられていることを特徴とする。
【００１９】
このような本発明の電子機器の線部材固定具によれば、環状部材を切欠きを通じて第一挿通路と第二挿通路との何れか一方の挿通状態から他方への挿通状態に変更しない際には、固定突起により環状部材が固定されることで、環状部材の第一挿通路又は第二挿通路への挿通状態が安定して維持される。その結果、環状部材の線部材固定具に対する固定状態が一層安定する。
【００２０】
また、前記電子機器の線部材固定具に関する請求項５に記載の発明は、前記固定部は、前記基板に形成された貫通孔に挿通されて該貫通孔周りに弾性的に係止される弾性係止片により構成されていることを特徴とする。
【００２１】
このような本発明の電子機器の線部材固定具によれば、弾性係止片の弾性作用を利用して、線部材固定具の基板への着脱作業が容易になる。特に本発明では、環状部材を巻着した線部材の基板に対する固定方向を変更する場合に、環状部材を線部材固定具に対して回動させればよく、必ずしも弾性係止片を基板に対して回動させる必要がないことから、弾性係止片と基板の十分な耐久性確保により、線部材が基板に対して有利に固定される。
【図面の簡単な説明】
【００２２】
【図１】本発明の第１実施形態としてのバンド保持具にバンド部材を取り付けた状態を示す斜視図。
【図２】（ａ）はバンド部材の正面図であり、（ｂ）はバンド部材の平面図であり、（ｃ）はバンド部材の底面図であり、（ｄ）はバンド部材の左側面図であり、（ｅ）はバンド部材の右側面図であり、（ｆ）はバンド部材の背面図である。
【図３】（ａ）はバンド保持具の正面図であり、（ｂ）はバンド保持具の平面図であり、（ｃ）はバンド保持具の底面図であり、（ｄ）はバンド保持具の左側面図であり、（ｅ）はバンド保持具の右側面図であり、（ｆ）はバンド保持具の背面図である。
【図４】バンド保持具の拡大斜視図。
【図５】バンド保持具を電子機器の基板に取り付けた状態を拡大して示す一部縦断面図。
【図６】電子機器の基板に取り付けられたバンド保持具に対して、電子機器の複数の電線に巻着されたバンド部材を図１とは異なる形態で取り付けた状態を示す一部縦断面図。
【図７】電子機器の基板に取り付けられたバンド保持具に対して、バンド部材を図１や図６とは異なる形態で取り付けた状態を示す一部縦断面図。
【図８】電子機器の基板に取り付けられたバンド保持具に対して、バンド部材を図１や図６、図７とは異なる形態で取り付けた状態を示す一部縦断面図。
【図９】電子機器の基板に取り付けられたバンド保持具に対して、バンド部材を図１及び図６〜８とは異なる形態で取り付けた状態を示す斜視図。
【図１０】図９に示すバンド保持具の背面図。
【図１１】電子機器の基板に取り付けられたバンド保持具に対して、バンド部材を図１及び図６〜１０とは異なる形態で取り付けた状態を示す斜視図。
【図１２】図１１に示すバンド保持具の背面図。
【図１３】本発明の第２実施形態としてのバンド保持具の拡大斜視図。
【図１４】図１３のバンド保持具にバンド部材を取り付けた状態を示す斜視図。
【図１５】図１４に示すバンド保持具の背面図。
【図１６】図１３のバンド保持具に対して、バンド部材を図１４とは異なる形態で取り付けた状態を示す斜視図。
【図１７】図１６に示すバンド保持具の背面図。
【発明を実施するための形態】
【００２３】
［第１実施形態］
以下に、本発明の実施形態について図面を参照しつつ説明する。図１には、本発明の電子機器の線部材固定具に関する第１実施形態としてのバンド保持具１０に対して、環状部材としてのバンド部材１２を取り付けた、複数種類の取り付け状態のうちの一状態が示されている。この取り付け状態は、バンド部材１２が電子機器の線部材としての電線１４に巻着されていない、環状を呈する前の状態である。
【００２４】
バンド部材１２は、図２にも示されているように、長手状の略帯板形状を呈していると共に、ポリアミドやポリエチレン、ポリプロピレンなどの合成樹脂材料を用いて形成されて、適当な弾性や可撓性を有している。バンド部材１２の長手方向一方の端部は、幅寸法が先端側に向かって次第に小さくなる先細り状とされている。また、バンド部材１２の長手方向中間部分の一方の面には、複数の係合部１６が長手方向に並設されている。
【００２５】
さらに、バンド部材１２の長手方向他方の端部には、リング状固定部１８が一体形成されている。リング状固定部１８は、略矩形ブロック状を呈した中央部分に挿通孔２０が貫設されていることで、全体として略矩形リング状を有している。なお、図面上に明示されていないが、挿通孔２０の内面（周壁面）には、係合部１６を係合支持するための凹凸が形成されている。
【００２６】
一方、バンド保持具１０は、図３，４にも示されているように、ポリアミドやポリエチレン、ポリプロピレンなどの合成樹脂材料を用いて形成されると共に、基台部としてのベース部２２と固定部としての弾性係止片２４とを含んで構成されている。
【００２７】
ベース部２２は、全体として略立方体形状とされ、かかる略立方体形状を形作る６つの壁部は、下方に位置する底壁部２６と、底壁部２６と対向して上方に位置する天壁部２８と、それら底壁部２６と天壁部２８との間に位置する４つの側壁部のうちの１つである第一側壁部３０と、４つの側壁部のうちの２つであり互いに対向する第二側壁部３２および第三側壁部３３と、４つの側壁部のうちの１つであり第一側壁部３０と対向する第四側壁部３４とからなる。
【００２８】
ベース部２２における底壁部２６と第四側壁部３４の下方部分とには、弾性係止片２４が突設されている。弾性係止片２４は、一端が底壁部２６に一体形成された略Ｕ字状乃至はＶ字状の挿入部３６と、挿入部３６の他端と第四側壁部３４の下方とからそれぞれベース部２２の外方に広がる一対の係止板部３８，３８とを含んで構成されている。また、挿入部３６に突設された係止板部３８の突出先端部分には、係止板部３８と略直交する方向に広がる板状のつまみ片４０が一体形成されている。挿入部３６の外周面には、鉤状の段差部３７が設けられている。
【００２９】
また、ベース部２２には、バンド部材１２のリング状固定部１８よりも一回り大きな略矩形状を有する凹所４２が凹設されて、第二側壁部３２に開口している。
さらに、ベース部２２には、第二側壁部３２と第三側壁部３３とに開口する略直線トンネル状の第一挿通路４４と、第一側壁部３０と第四側壁部３４とに開口する略直線トンネル状の第二挿通路４６と、天壁部２８と第一側壁部３０とに開口する略直角トンネル状の第三挿通路４８とが形成されて、それぞれ凹所４２を通じて連通されている。つまり、本実施形態において、第二挿通路４６における第一側壁部３０の開口部分と第三挿通路４８における第一側壁部３０の開口部分とは、互いに共有している。また、第一挿通路４４における第二側壁部３２への開口部分は、凹所４２の開口により構成されている。
【００３０】
そこにおいて、第一側壁部３０には、第二挿通路４６の開口部分の幅方向一方（図３（ｄ）中、右）の端部から第二側壁部３２に向かって延びて、第一挿通路４４の開口部分と接続する第一の切欠き５０が設けられている。即ち、第一の切欠き５０は、第一側壁部３０の第二挿通路４６の開口部分から第一挿通路４４と直交する方向に開口して、第一挿通路４４と第二挿通路４６とを連通させている。
【００３１】
また、第三側壁部３３には、第一挿通路４４の開口部分の幅方向一方（図３（ｆ）中、左）の端部から第四側壁部３４に向かって延びて、第二挿通路４６の開口部分と接続する第二の切欠き５２が設けられている。即ち、第二の切欠き５２は、第一挿通路４４を幅方向に挟んで第一の切欠き５０と反対側において、第三側壁部３３の第一挿通路４４の開口部分から第二挿通路４６と直交する方向に開口して、第一挿通路４４と第二挿通路４６とを連通させている。
【００３２】
さらに、天壁部２８には、第三挿通路４８の開口部分の幅方向一方（図３（ｂ）中、下）の端部から第二側壁部３２に向かって延びて、凹所４２、延いては第一挿通路４４の開口部分と接続する第三の切欠き５３が設けられている。要するに、第三の切欠き５３は、天壁部２８の第三挿通路４８の開口部分から第一挿通路４４と直交する方向に開口して、第一挿通路４４と第三挿通路４８とを連通させている。
【００３３】
特に本実施形態では、第三の切欠き５３における両壁部の一方（図３（ａ），（ｂ）中、左）から他方（図３（ａ），（ｂ）中、右）に向かって、他方の壁部に接しない長さで固定突起５４が突設されている。固定突起５４は、平面視略三角形状を有しており、第二側壁部３２から天壁部２８の第三挿通路４８の開口部分に向かって幅寸法が次第に大きくされている。
【００３４】
このような構成とされたバンド保持具１０においては、図５にも示されているように、電子機器におけるケースの壁部や配線回路の基板などの基板５６に対して装着されるようになっている。
【００３５】
詳細には、基板５６の適当な箇所に貫通孔５８が貫設されており、その貫通孔５８に対して、弾性係止片２４の挿入部３６が幅寸法の縮小方向に弾性変形しつつ挿入される。挿入部３６の縮小変形は、例えば、つまみ片４０と他方の係止板部３８とを把持して互いに接近する方向に弾性変形させればよい。
【００３６】
そして、挿入部３６が貫通孔５８に挿入された後に、挿入部３６の弾性変形が解除されて、挿入部３６の基端部分がその弾性復元力を利用して貫通孔５８の周縁部に弾性的に支持されている。また、挿入部３６の外周面の段差部３７が基板５６の一方の面から貫通孔５８の周りに係止されている一方、弾性係止片２４の一対の係止板部３８，３８が、挿入部３６の弾性復元力を利用して、基板５６の他方の面から貫通孔５８の周りに係止されている。これにより、バンド保持具１０が基板５６に装着される。
【００３７】
次に、図６〜１２には、バンド保持具１０に対してバンド部材１２を取り付けた、複数種類の取り付け状態のうちのいくつかが示されている。
例えば、図６に示されるように、バンド部材１２は、リング状固定部１８と反対側の先端部分から第一挿通路４４に挿通されると共に、複数の電線１４を束ねるように複数の電線１４に巻着されて、バンド部材１２の先端部分がリング状固定部１８の挿通孔２０に挿通され、バンド部材１２の係合部１６がリング状固定部１８内で係合される。それによって、バンド部材１２が第一挿通路４４に挿通されて、複数の電線１４が、束ねられた状態でバンド部材１２及びバンド保持具１０を介して電子機器の基板５６に固定される。
【００３８】
また、例えば、バンド部材１２のリング状固定部１８がバンド保持具１０の第二側壁部３２の開口部分から凹所４２に嵌合されると共に、バンド部材１２が第三の切欠き５３の固定突起５４を跨いで天壁部２８の第三挿通路４８の開口部分に挿通され、バンド部材１２が、当該開口部分から突出して自立した状態に保持される（図１参照。）。この自立状態は、リング状固定部１８の凹所４２への嵌合構造と、バンド部材１２の幅方向端部が固定突起５４と対向されることによるバンド部材１２の第三挿通路４８から第一挿通路４４への脱落防止構造とにより、確実に保持される。
【００３９】
特に本実施形態では、固定突起５４が第二側壁部３２から天壁部２８の第三挿通路４８の開口部分に向かって幅寸法が大きくされていることから、バンド部材１２を第二側壁部３２の凹所４２から第三の切欠き５３を通じて固定突起５４を跨いで天壁部２８の第三挿通路４８の開口部分に挿入する際に、バンド部材１２と固定突起５４との当接による負荷が抑えられて、バンド部材１２のベース部２２への装着が容易となる。
【００４０】
また、図７に示されるように、バンド部材１２の先端部分が、第四側壁部３４における第二挿通路４６の開口部分やリング状固定部１８の挿通孔２０、第一側壁部３０における第二挿通路４６乃至は第三挿通路４８の開口部分に挿通されて、バンド部材１２の係合部１６がリング状固定部１８内に係合される。これにより、バンド部材１２のリング状固定部１８がベース部２２に支持されつつ、バンド部材１２が第二挿通路４６及び第三挿通路４８に挿通された状態が実現される。
【００４１】
さらに、図面上に明示されていないが、バンド部材１２の先端部分が、天壁部２８と第一側壁部３０との何れか一方の開口部分から第三挿通路４８に挿通され、ベース部２２の外方でリング状固定部１８の挿通孔２０に挿通されて、バンド部材１２の係合部１６がリング状固定部１８内に係合されても良い。これにより、バンド部材１２がベース部２２の第三挿通路４８に挿着される。
【００４２】
更にまた、例えば、図８に示されるように、バンド部材１２の先端部分が、第一側壁部３０と第四側壁部３４との何れか一方の開口部分から第二挿通路４６に挿通され、ベース部２２の外方でリング状固定部１８の挿通孔２０に挿通されて、バンド部材１２の係合部１６がリング状固定部１８内に係合される。それによって、バンド部材１２がベース部２２の第二挿通路４６に挿着される。
【００４３】
ここで、本実施形態のバンド保持具１０においては、第一挿通路４４と第二挿通路４６とが、第一及び第二の切欠き５０，５２を介して、互いに直交する方向で連通されている。
【００４４】
従って、バンド部材１２が、図９，１０に示されるような第一挿通路４４に挿着された状態と図１１，１２に示されるような第二挿通路４６に挿着された状態との何れか一方おいて、第一及び第二の切欠き５０，５２を通じてベース部２２の天壁部２８と底壁部２６との対向方向（図９〜１２中、上下）と平行に延びる軸線回りに回動されることにより、バンド部材１２が、第一挿通路４４に挿着された状態と第二挿通路４６に挿着された状態との他方への形態に変更可能とされる。
【００４５】
それ故、本実施形態のバンド保持具１０によれば、バンド部材１２が基台部２２に挿通された状態で、挿通形態を変更できることから、バンド部材１２に巻着された電線１４をバンド部材１２及びバンド保持具１０を介して基板５６に固定した状態、つまり、リング状固定部１８の挿通孔からバンド部材１２の他方の端部を外さない状態で、電線１４の基板５６に対する固定方向を容易に変更することが出来、電線１４の固定形態の変更に有利に対応されるのである。
【００４６】
しかも、電線１４の支持方向を変更する際に、弾性係止片２４を基板５６に対して積極的に回動させる必要がないことから、弾性係止片２４や基板５６の耐久性が有利に保たれて、電線１４の固定形態の安定化が有利に図られる。
【００４７】
また、本実施形態では、ベース部２２に上述の如き凹所４２と第三挿通路４８が形成されていることによって、図７に示されるような挿通形態も取ることが出来、それによって、複数種類の固定形態に対応したバンド保持具１０がコンパクトに実現される。
【００４８】
さらに、本実施形態のように、ベース部２２が、略ストレートな縁部や略平坦な壁面を有する略六面体（略立方体）形状とされ、バンド部材１２が略帯状とされている場合には、バンド部材１２を電線１４に締め付けると、ベース部２２とバンド部材１２との接触部分が確保され易くなり、電線１４のバンド保持具１０、延いては基板５６に対する回動防止効果が高まる。それ故、比較的に簡単な構造で、電線１４の基板５６に対する固定が一層安定する。
【００４９】
なお、上述の説明からも明らかなように、ベース部２２における６つの壁部のうち第一挿通路４４を開口形成する一対の第一壁部は、互いに辺を共有しない（即ち、互いに対向する）第二側壁部３２と第三側壁部３３とからなる。また、ベース部２２における６つの壁部のうち第二挿通路４６を開口形成する一対の第二壁部は、互いに辺を共有しない第一側壁部３０と第四側壁部３４とからなる。
【００５０】
また、バンド部材１２の係合部１６とリング状固定部１８内との係合状態は、一度係合された後に外れないように噛み合わされていても良いが、係合解除可能とされて、係合が繰り返しされるようにしても良い。更に、かかる係合状態で、バンド部材１２においてリング状固定部１８から外方に延びる先端部分は、必要に応じて切断される。
【００５１】
［第２実施形態］
図１３には、本発明の電子機器の線部材固定具に関する第２実施形態としてのバンド保持具６０が示されている。なお、以下の説明において、前記第１実施形態と実質的に同一の構造とされた部材および部位については、第１実施形態と同一の符号を付することにより、それらの詳細な説明を省略する。
【００５２】
本実施形態の第一挿通路４４は、天壁部２８と第一側壁部３０とに開口する略直角トンネル状を呈し、第二挿通路４６は、第二側壁部３２と第三側壁部３３とに開口する略直線トンネル状を呈し、第三挿通路４８は、第一側壁部３０と第四側壁部３４とに開口する略直線トンネル状を呈している。これら第一乃至は第三挿通路４４，４６，４８は、凹所４２を通じて相互に連通されている。
【００５３】
要するに、ベース部２２における６つの壁部のうち第一挿通路４４を開口形成する一対の第一壁部は、互いに辺を共有する天壁部２８と第一側壁部３０とからなる。また、ベース部２２における６つの壁部のうち第二挿通路４６を開口形成する一対の第二壁部は、互いに辺を共有しない第二側壁部３２と第三側壁部３３とからなる。
【００５４】
また、第１実施形態において天壁部２８に形成された第三の切欠き（５３）の位置には、本実施形態の第一挿通路４４と第二挿通路４６とを相互に連通する、第一の切欠き５０が設けられている。換言すると、本実施形態の第一の切欠き５０は、第１実施形態の第一側壁部３０に設けられた部位に代えて、天壁部２８に設けられている。
【００５５】
さらに、本実施形態の第二の切欠き５２は、第１実施形態の第三側壁部３４に設けられた部位に代えて、第一挿通路４４を幅方向に挟んで第一の切欠き５０と反対側において、第一側壁部３０の第一挿通路４４の開口部分から第二挿通路４６と直交する方向に開口形成されており、第一挿通路４４と第二挿通路４６とを連通させている。
【００５６】
このようなバンド保持具６０においては、例えば、図１４，１５に示されるように、バンド部材１２の先端部分が、第二側壁部３０と第三側壁部３３との何れか一方の開口部分から第二挿通路４６に挿通され、ベース部２２の外方でリング状固定部１８の挿通孔２０に挿通されて、バンド部材１２の係合部１６がリング状固定部１８内に係合される。それによって、バンド部材１２がベース部２２の第二挿通路４６に挿着される。
【００５７】
また、例えば、図１６，１７に示されるように、バンド部材１２の先端部分が、天壁部２８と第一側壁部３０との何れか一方の開口部分から第一挿通路４４に挿通され、ベース部２２の外方でリング状固定部１８の挿通孔２０に挿通されて、バンド部材１２の係合部１６がリング状固定部１８内に係合される。それによって、バンド部材１２がベース部２２の第一挿通路４４に挿着される。
【００５８】
そこにおいて、本実施形態のバンド保持具６０においても、第１実施形態のバンド保持具１０と同様に、第一挿通路４４と第二挿通路４６とが、第一及び第二の切欠き５０，５２を介して、互いに直交する方向で連通されている。
【００５９】
従って、バンド部材１２が第一挿通路４４と第二挿通路４６との何れか一方の挿着状態で、第一及び第二の切欠き５０，５２を通じてベース部２２の天壁部２８と底壁部２６との対向方向（図１４〜１７中、上下）と平行に延びる軸線回りに回動されることにより、バンド部材１２が、第一挿通路４４と第二挿通路４６との他方への挿着状態に変更可能とされる。
【００６０】
それ故、第１実施形態と同様に、バンド保持具６０の弾性係止片２４と基板５６との固定状態を安定して維持しつつ、電線１４の基板５６に対する固定方向を容易に変更することが出来るのである。
【００６１】
以上、本発明の実施形態について詳述してきたが、これら実施形態における具体的な記載によって、本発明は、何等限定されるものでなく、当業者の知識に基づいて種々なる変更、修正、改良等を加えた態様で実施可能である。また、そのような実施態様が本発明の趣旨を逸脱しない限り、何れも、本発明の範囲内に含まれるものであることは言うまでもない。
【００６２】
例えば、前記実施形態では、環状部材として例示の如き帯状のバンド部材１２が用いられていたが、針金などの線状部材で構成されてもよく、このような環状部材の形状や大きさに応じてベース部２２の挿通路も適宜に変更される。
【００６３】
また、前記実施形態では、固定部として基板５６の貫通孔５８周りに弾性的に係止される係止片が採用されていたが、例えば、基板５６に重ね合わされてボルトや溶接、接着材などで固定されるフランジ状部や脚部などで構成されても良い。
【００６４】
さらに、前記実施形態では、基台部と固定部とが一体形成されていたが、各別に形成された後に、相互に固定されることも可能である。
更にまた、前記実施形態では、第一挿通路４４を開口形成する一対の第一壁部が、互いに辺を共有しない第二側壁部３２および第三側壁部３３や、互いに辺を共有する天壁部２８および第一側壁部３０で構成されたり、第二挿通路４６を開口形成する一対の第二壁部が、互いに辺を共有しない第一側壁部３０および第四側壁部３４や、第二側壁部３２および第三側壁部３３で構成されたりしていたが、要求される製作性や使用形態等に応じて、
底壁部２６や他の壁部２８，３０，３２，３３，３４を適宜に組み合わせて、第一壁部や第二壁部を構成しても良い。
【００６５】
また、前記実施形態では、第一及び第二挿通路４４，４６に加え、第三挿通路４８が設けられていたが、かかる第三挿通路４８は、必須の構成要件でない。
さらに、第一乃至は第三挿通路４４，４６，４８に加えて、例えば、それら第一乃至は第三挿通路４４，４６，４８の形成位置を除いた壁部に別の挿通路を形成することも可能であり、また第一乃至は第三挿通路４４，４６，４８と別の挿通路とが、切欠きを通じて連通されていても良い。
【００６６】
また、前記実施形態では、バンド部材１２が電線１４に対して密着するように締め付けられて固定されていたが、例えば、バンド部材１２および電線１４の耐久性や耐腐食性等に応じて、バンド部材１２が電線１４に対して多少緩んだ状態で固定されても良い。このように多少緩んだ状態であっても、前記実施形態のバンド保持具１０，６０によれば、バンド部材１２のベース部２２における各挿通路４４，４６，４８への配置による、電線１４の基板５６に対する位置決め作用や、バンド部材１２とベース部２２の固定突起１４との固定作用、バンド部材１２のリング状固定部１８におけるベース部２２の凹所４２への嵌合作用等に基づいて、電線１４が基板５６に対して目的の固定方向に安定して固定されるのである。
【符号の説明】
【００６７】
１０…バンド保持具、１２…バンド部材、１４…電線、２２…ベース部、２４…弾性係止片、２６…底壁部、２８…天壁部、３０…第一側壁部、３２…第二側壁部、３３…第二側壁部、３４…第四側壁部、４４…第一挿通路、４６…第二挿通路、４８…第三挿通路、５０…第一の切欠き、５２…第二の切欠き、５６…基板
【図１】
2011036073.tif 000003
【図２】
2011036073.tif 000004
【図３】
2011036073.tif 000005
【図４】
2011036073.tif 000006
【図５】
2011036073.tif 000007
【図６】
2011036073.tif 000008
【図７】
2011036073.tif 000009
【図８】
2011036073.tif 000010
【図９】
2011036073.tif 000011
【図１０】
2011036073.tif 000012
【図１１】
2011036073.tif 000013
【図１２】
2011036073.tif 000014
【図１３】
2011036073.tif 000015
【図１４】
2011036073.tif 000016
【図１５】
2011036073.tif 000017
【図１６】
2011036073.tif 000018
【図１７】
2011036073.tif 000019